(57)【要約】【課題】ユーザが希望する情報を、視覚的に認識可能に記録面に書き込むことができる光ディスク書込装置を提供する。【解決手段】同期信号出力手段は、光ディスクの回転を検出しこの回転に同期した同期信号を出力する。続いて、画像書込手段は、同期信号及び例えばユーザが記録面に描画を希望する画像データに基づいてレーザー光を照射させる。【選択図】　図１
2004014082.tif 000002
【特許請求の範囲】
【請求項１】
光ディスクを回転させ、当該光ディスクにレーザー光を照射することでデータを書き込む光ディスク書込装置において、
上記光ディスクの回転を検出し当該回転に同期した同期信号を出力する同期信号出力手段と、
上記同期信号及び上記光ディスクの記録面に描画する画像に対応する画像データに基づいて上記レーザー光を照射させる画像書込手段とを具備することを特徴とする光ディスク書込装置。
【請求項２】
上記同期信号出力手段は、
上記光ディスクの１回転に上記画像データの一辺を割り当てた同期信号を出力する請求項１に記載の光ディスク書込装置。
【請求項３】
上記同期信号出力手段は、
フォトインタラプタを用いて光ディスクの回転を検出し、当該フォトインタラプタからの信号に基づいて同期信号を出力する請求項１又は２に記載の光ディスク書込装置。
【請求項４】
光ディスクを回転させ、当該光ディスクにレーザー光を照射することでデータを書き込む光ディスク書込方法において、
上記光ディスクの回転を検出する検出ステップと、
上記回転に同期した同期信号を出力する同期信号出力ステップと、
上記同期信号及び上記光ディスクの記録面に描画する画像に対応する画像データに基づいて上記レーザー光を照射させる画像書込ステップとを具備することを特徴とする光ディスク書込方法。
【発明の詳細な説明】
【０００１】
【発明の属する技術分野】
本発明は、光ディスク書込装置、光ディスク書込方法に関し、特に、ＣＬＶ方式を採用した光ディスク書込装置、光ディスク書込方法に関する。
【０００２】
【従来の技術】
近年、パーソナルコンピュータ等で利用されるプログラムのサイズや、当該プログラムにて利用されるデータのサイズが増大する傾向にある。理由として、プログラムの高機能化による点や、サイズの比較的大きい音声データ、画像データ（静止画データ、動画データ）等を扱う機会が増加した点などが挙げられる。
【０００３】
また、このようなサイズの大きいデータ（プログラムを含む）を記録するメディアとして光ディスクが利用される機会が増えている。これは、単位あたりの記憶容量が大きく、さらにコストが比較的安い点が理由として挙げられるが、さらに一般ユーザが当該光ディスクにデータを書き込むことができるようになった点が大きな理由と考えられる。
【０００４】
上記光ディスクにデータを書き込む際には、光ディスク書込装置が用いられる。上記光ディスク書込装置は、具体的には、ＣＤ−Ｒ（ＣＤ　Ｒｅｃｏｒｄａｂｌｅ）ドライブ、ＣＤ−ＲＷ（ＣＤ−ＲｅＷｒｉｔｂｌｅ）ドライブ、ＤＶＤ−Ｒドライブ、ＤＶＤ−ＲＡＭドライブ、ＤＶＤ＋Ｒドライブ、ＤＶＤ＋ＲＷドライブ等である。
【０００５】
上記光ディスク書込装置の仕組みの一例を図６、図８を用いて簡単に説明する。尚、図６に示す光ディスク書込装置６０１は、ＣＬＶ（Ｃｏｎｓｔａｎｔ　Ｌｉｎｅａｒ　Ｖｅｌｏｃｉｔｙ）方式を用いた例である。当該ＣＬＶとは、「線速度一定」を意味し、光ディスクの内周／外周にかかわりなく、書き込み箇所の移動速度（線速度）を一定にする方式であり、モーターの回転速度を制御する事で内周を読み書きする場合には回転を速く、逆に外周を読み書きする場合には回転を遅く変化させるのである。
【０００６】
次に示す従来の光ディスク書込装置６０１では、モーター６０７が光ディスク６０６を回転させ、当該光ディスク６０６に設けられた案内溝から得られる反射光を受光手段６１０が検知し、当該検知した状態に基づいてモーター制御手段６１１がモーター６０７の制御を行う。
【０００７】
また、上記回転はフォトインタラプタ６０８によっても検出されて、当該回転に関する情報を速度検出手段６０９に送信する事で速度検出手段６０９は上記モーター６０７の回転速度を得る事ができる。即ち、上記フォトインタラプタは、例えば上記モーター６０７の軸部に取り付けられた光の反射板に光を当て、当該反射板による光の反射を検出して当該反射に比例する周波数の電気信号を発生する。続いて、上記速度検出手段６０９は、当該電気信号の周波数に基づいてモーターの回転速度を算出するのである。
【０００８】
また、上記光ディスク６０６に書き込まれるデータは、例えばインターフェイス（Ｉ／Ｆ）６０２を介して、例えばパーソナルコンピュータ等より受け取る。尚、上記Ｉ／Ｆ６０２は、具体的には例えばＳＣＳＩインターフェイスである。
【０００９】
上記Ｉ／Ｆ６０２を介して受信したデータは、一旦書込信号生成手段６０３にて所定のフォーマットに変換される。当該所定のフォーマットとは、例えば光ディスクの規格に準じたフォーマットである。
【００１０】
上記変換されたデータは、上記速度検出手段６０９が算出した回転速度と、一定のパルスを出力する水晶発信手段６１２とに基づいて、書込信号生成手段６０３からレーザー駆動手段６０４に送信され、当該レーザー駆動手段６０４は、レーザー６０５を制御する事で光ディスク６０６の記録面に上記変換されたデータを書き込むのである。
【００１１】
尚、ＣＬＶ方式とは異なる方式として、ＣＡＶ（Ｃｏｎｓｔａｎｔ　Ａｎｇｕｌａｒ　Ｖｅｌｏｃｉｔｙ）方式が挙げられる。当該ＣＡＶは「角速度一定」を意味し、常に一定の回転速度でデータを読み書きする方式である。即ち、円周は外側に行くほど長くなるため、レーザーが書き込み箇所をなぞる速度は内側ほど速く、外側ほど遅くなり、これに伴ってレーザーの出力を制御するのである。
【００１２】
図７に示すＣＡＶ方式を利用した光ディスク書込装置７０１では、モーター７０７が光ディスク７０６を回転させ、当該光ディスク７０６に設けられた案内溝から得られる反射光を受光手段７１０が検知し、当該検知した状態に基づいて書込クロック発生手段７１２が、書き込み時に必要となる書き込み用パルスを出力する。当該パルスを受信した書込信号生成手段７０３は、当該パルスに基づいて、データをレーザー駆動手段７０４に出力するのである。
【００１３】
尚、上記データが、Ｉ／Ｆ７０２を介して例えばパーソナルコンピュータより送信され、書込信号生成手段７０３にて所定のフォーマットに変換されるのは上記ＣＬＶと同様である。
【００１４】
ところで、上記ＣＡＶにおける光ディスク７０６の回転は一定に保たれる（角速度一定）。これは、モーター７０７の回転がフォトインタラプタ７０８にて検出され、当該検出状態に基づいてモーター制御手段７１１がモーター７０７を制御することにより実現されている。
【００１５】
次に、図８を用いて光ディスク（ここではＣＤ−Ｒ）へデータを記録する原理について簡単に説明する。図８（ａ）は、光ディスク上に螺旋状に設けられる案内溝（後述）に対して垂直方向に設けられた断面のイメージ図である。この例では、当該光ディスク８０１は、保護層８０２、反射層８０３、記録層８０４、基盤８０５より構成される。また、基盤８０５にはグルーブと呼ばれる案内溝が設けられ、この溝にそってデータが記録される。尚、下面が記録面であり、上面はユーザが文字などを記載し、あるいはシール等を貼り付ける事が可能なレーベル面である。
【００１６】
例えばレーザー６０５より照射されたレーザー光８０６が、グルーブに当ると、記録層８０４は当該レーザー光８０６を吸収して局部的に発熱し、これにより基盤８０５が変形する。また、当該レーザー光８０６が照射された部位の記録層８０４は色素分解により屈折率が変化する。基盤が変形した状態を図８（ｂ）に示す。記録層８０４の一部が記録前（レーザー照射前）に比べて、保護層８０２方向に陥没しているのがわかる。この状態では、レーザー照射前と比べて当該照射部位の光の干渉条件が変化し、ＣＤにおける記録ピットと同様の効果が生じ、即ちデータが信号として記録される。
【００１７】
以上により、光ディスクにデータを書き込む事が可能になるのである。尚、例えば上記ＣＬＶにおいては線速度一定のため、上記レーザーの照射のオン・オフ制御は、１ビット当たり終始同一出力、同一間隔で行われる。しかし、上記ＣＡＶにおいては、内周部と外周部とで線速度が異なるため例えば内周部よりも外周部の方がレーザー照射のオン・オフ間隔を短くし、さらに上記色素分解のためのエネルギーを十分に与える必要があるためにレーザー出力を上げるといった制御が必要になる。
【００１８】
尚、データの記録箇所がある程度集合した場合には、上記記録部における書き込み処理が行われた箇所と行われていない箇所を、大きな範囲で視認することが可能となる。
【００１９】
【発明が解決しようとする課題】
ところで、従来の光ディスクには、レーベル面にはユーザが希望する情報を例えばペンなどで書き込み、あるいはシールなどに印刷して張り付けることが可能であった。しかしながら、記録面に対しては、データ読み取り時の障害となるためユーザが情報を書き込む事ができなかった。もし、何らかの情報を記録面にペン等で書き込み、あるいはシールを貼り付けたりすると、当該光ディスクからのデータの読み出しができなくなるのである。
【００２０】
また、現在発売されている例えばＤＶＤ−ＲＡＭ等には、レーベル面が無く、両面とも記録面としているものがある。このような光ディスクには、ユーザが希望する情報を書き込むことができず、ユーザが当該光ディスクを管理する場合には当該光ディスクのケースに情報を書き込むといった方法をとる必要があった。しかし、当該光ディスクは上記ケースから出されて利用される場合もあり、その場合にはデータを読み出して確認する以外には、複数の光ディスクを判別する方法がなかった。
【００２１】
本発明は、上記従来の事情に基づいて提案されたものであって、ユーザが希望する情報を、視覚的に認識可能に記録面に書き込むことができる光ディスク書込装置を提供することを目的とする。
【００２２】
【課題を解決するための手段】
本発明は、上記目的を達成するために以下の手段を採用している。すなわち、本発明は、図１に示すように、光ディスクを回転させ、当該光ディスクにレーザー光を照射することでデータを書き込む光ディスク書込装置を前提としている。
【００２３】
ここで、同期信号出力手段は、光ディスクの回転を検出しこの回転に同期した同期信号を出力する。続いて、画像書込手段は、同期信号及び例えばユーザが記録面に描画を希望する画像データに基づいてレーザー光を照射させる。
【００２４】
以上により、ユーザが希望する画像データに対応する画像を光ディスクの記録面に、視覚的に認識可能に描画する事が可能になる。
【００２５】
また、光ディスクの１回転に画像データの一辺を割り当てた同期信号を出力する構成としてもよい。具体的には、画像データの一辺に対応するドット数と同一数のパルスを、光ディスク１回転あたりに出力するのである。
【００２６】
これにより、記録面上に描画する画像の継ぎ目をなくす事が可能になる。これは、例えば所定の模様の繰り返し等、両端を継ぎ目なく結合可能な画像を画像データとした場合などに、当該画像を記録面に美しく描画する事ができる。
【００２７】
尚、同期信号出力手段は、フォトインタラプタを用いて光ディスクの回転を検出し、当該フォトインタラプタからの信号に基づいて同期信号を出力するＰＬＬ回路としてもよい。
【００２８】
【発明の実施の形態】
以下、添付図面を参照して、本発明の実施の形態につき説明し、本発明の理解に供する。尚、以下の実施の形態は本発明を具体化した一例であって、本発明の技術的範囲を限定する性格のものではない。
【００２９】
図１は、本実施の形態における光ディスク書込装置の概略機能ブロック図であり、以下その構成を上記従来と異なる点を中心に説明する。尚、図１に示す光ディスク書込装置１０１は、ＣＬＶ方式を用いており、即ち線速度一定となるように制御されている。また、図示しない例えばパーソナルコンピュータとＩ／Ｆ１０２を介して接続されるものとする。
【００３０】
最初に、ユーザが例えば光ディスク（この例ではＣＤ−Ｒとする）の記録面に、視覚的に認識可能に書き込む画像データを準備する（図２：Ｓ２０１）。当該画像データの準備は例えば以下のように行われる。
【００３１】
理解に供するため、上記画像データの一例を図３に示す。画像データ３０１は、例えばＸ軸３０２方向に５１２０ドット、Ｙ軸３０３方向に３２ドットのデータを有するビットマップデータとして提供されるものとする。
【００３２】
上記画像データ３０１を構成する上記５１２０ドット×３２ドット内には、例えば文字や画像が表現されている。当該画像データは、上記パーソナルコンピュータよりＩ／Ｆ１０２を介して画像記憶手段１１２に送信され、当該画像記憶手段１１２に一旦保存される。尚、画像データをビットマップデータとして提供しているが、画像データの形式はどのようなものでもよく、後述するレーザーのオン・オフに対応できればよい。また、例えばＪＰＥＧ形式にて画像データを提供し、後述する画像書込手段によるデータ書込時にビットマップデータに変換してもよい。
【００３３】
さて、上記画像データ３０１の準備が完了すると、続いて光メディア上での、上記画像データ３０１を書き込む位置である書込開始位置をユーザが入力する（図２：Ｓ２０２）。当該書込開始位置は、例えば上記光メディア１０６の中心からの距離（半径）などで与えられるが、上記光ディスク１０６上の位置を特定できればどのような与え方でもよい。ここでは、上記書込開始位置を記録面の最内円周５０２からの距離５０１で与えるものとする。
【００３４】
また、上記書込開始位置を画像書込手段１１１に送信する方法はどのようなものであってもよい。即ち、例えば上記パーソナルコンピュータから上記Ｉ／Ｆ１０２を介して上記画像書込手段１１１に送信してもよく、さらには上記画像書込手段１１１に異なるインターフェイス（例えばＲＳ２３２Ｃ等）を設け、当該インターフェイスを介して上記画像書込手段１１１に送信してもよい。上記画像書込手段１１１は、上記書込開始位置を受信すると、例えば当該画像書込手段１１１が備える所定のメモリに記憶する。
【００３５】
上記画像ファイルの入力、及び画像を書き込む位置の入力が完了すると、続いて光メディア１０６へのデータの書込が開始される（図２：Ｓ２０３）。
【００３６】
上記光メディアへの書込が開始されると、まず、モーター１０７が光ディスク１０６を回転させ、当該光ディスク１０６に設けられた案内溝から得られる反射光を受光手段１１４が検知し、当該検知した状態に基づいてモーター制御手段１１５がモーター１０７の制御を行う。
【００３７】
また、上記回転はフォトインタラプタ１０８によっても検出されて、当該回転に関する情報を速度検出手段１０９に送信するが、検出方法は上記従来技術で述べたのと同様である。尚、本実施例では、上記光ディスク１０６が１回転する際に上記フォトインタラプタ１０８から出力されるパルスの数を４０パルスとする。当該フォトインタラプタ１０８からの回転に関する情報（パルス）は、速度検出手段１０９に送信され、上記光ディスク１０６の回転速度が算出されて、書込信号生成手段１０３に与えられるのも、上記従来技術で述べたのと同様である。
【００３８】
但し、本実施の形態では、フォトインタラプタ１０６より出力される上記回転に関する情報（パルス）は、さらに同期信号出力手段１１０に入力される。ここで、例えば上記同期信号出力手段１１０は、ＰＰＬ（Ｐｈａｓｅ　Ｌｏｃｋｅｄ　Ｌｏｏｐ）回路として与えられる。即ち、上記同期信号出力手段１１０は、上記画像データのＸ軸３０２方向のドット数（ここでは５１２０ドット）と、上記回転に関する情報（４０パルス／回転）とに基づいて、上記回転に関する情報の１２８倍のクロックを発生する（５１２０÷４０＝１２８）。つまり、上記画像データ３０１の上記Ｘ軸３０２方向の各ドットに対応するクロックを発生するのである。尚、上記Ｘ軸３０２方向の各ドットは、光ディスクの円周に沿って描かれるデータである。
【００３９】
上記同期信号出力手段１１０が発生したクロックは、画像書込手段１１１に入力される。尚、上記画像書込手段１１１は、書き込み開始後の上記クロックをカウントする事で、上記光ディスク１０６が書き込み開始から何回転したかを算出する事ができる。
【００４０】
さて、本実施の形態では、図５に示すように、光メディアの記録面の外周部に画像データ３０１が示す画像を描画することを想定する。
【００４１】
このため、書込開始当初は上記パーソナルコンピュータから送信されるデータが、光メディアの内周から随時書き込まれる。つまり、上記光ディスク１０６への書込が開始されると、従来技術にて記載したのと同様、書込信号生成手段１０３は、例えばパーソナルコンピュータから受信したデータを所定のフォーマットに変換し、随時送信する。但し、送信先は上記画像書込手段１１１である。続いて、上記画像書込手段１１１は、現在書き込みを行っている上記光ディスク１０６上の位置（レーザー１０５の位置）が、上記ユーザより入力された書込開始位置であるかを判定する（図２：Ｓ２０４）。ここで、書き込み開始当初は画像データを書き込む位置ではないため、上記画像書込手段１１１は、上記書込信号生成手段１０３より受信した所定のフォーマットを有するデータを、そのままレーザー駆動手段１０４に送信する（図２：Ｓ２０４Ｎｏ→Ｓ２０５）。上記所定のフォーマットを有するデータを受信したレーザー駆動手段１０４は、レーザー１０５から照射するレーザー光のオン・オフを制御する事により光ディスク１０６にデータを書き込む（図２：Ｓ２０６）。ここでは、ＣＬＶ方式を採用しているため、レーザー光の出力は内周、外周とも一定である。この時点では、上記データの書き込みに画像書込手段１１１は直接的には介在していない。
【００４２】
尚、上記画像データの書込開始位置の判定は以下のように行う。即ち、レーザー１０５の位置は光ディスク上に螺旋状に設けられたグルーブ（案内溝）に対応して、少しずつ外周方向に移動する。ここで、上記光ディスク１０６が一周する間に上記レーザー１０５が外周方向に移動する距離が決まっているため、書き込み開始時からの上記光ディスク１０６の回転数をカウントすることで、レーザー１０５の、記録面の最内円周５０２からの現在位置（距離）を算出する事ができる。
【００４３】
従って、上記画像書込手段１１１は、上記同期信号出力手段１１０より出力されるクロックをカウントする事により、現在、レーザー１０５が画像の書込開始位置にあるのか否かを判定する事ができるのである。ここでは、上記光ディスク１０６が２００００回転で、レーザー１０５が目的とする位置に到達するものとする。
【００４４】
ここで、現在書き込みを行っている上記光ディスク１０６上の位置（レーザー１０５の位置）が、上記ユーザより入力された書込開始位置である場合、画像データ書込処理を行う（図２：Ｓ２０４Ｙｅｓ→Ｓ２０７）。
【００４５】
尚、上記画像データ書込処理は、以下の手順で行われる。即ち、まず、上記画像書込手段１１１は、上記同期信号出力手段１１０が出力したクロック（ここでは５１２０パルス／光ディスク１回転）に、例えば上記画像データ３０１の開始末端３０３からＸ軸３０２方向に伸びる各ドットを対応させて読み出し、例えばドットが白の場合は、「０」、黒の場合は「１」をレーザー駆動手段１０４に出力する（図４：Ｓ４０１）。つまり、（Ｘ座標，Ｙ座標）＝（１，１）〜（５１２０，１）に対応する各ドットの情報が上記レーザー駆動手段１０４に送出されるのである。
【００４６】
この際、書込信号生成手段１０３からは、データは送信されていない筈であり、もし、送信されている場合には、エラー処理として様々な対応が考えられるが、本発明と直接関連しないため省略する。
【００４７】
以上のように、同期信号出力手段が上記光ディスクの１回転あたりに出力する同期信号のパルス数に、上記画像データの例えば長手方向の一辺と対応させる（割り当てる）ことで、例えば図３に示した画像データ３０１の左右両端の継ぎ目をなくす事が可能になる。
【００４８】
以後、上記レーザー駆動手段１０４が、レーザー１０５を上記画像データ（「０」「１」）に応じて制御する事で、（Ｘ座標，Ｙ座標）＝（１，１）〜（５１２０，１）に対応する画像が光ディスク１０６上の所定の位置に書き込まれることになる。尚、（Ｘ座標，Ｙ座標）＝（１，１）〜（５１２０，１）に対応する画像の書込は、予め決められた回数（回転数）繰り返される事で、上記光ディスク１０６上に描画される（図４：Ｓ４０２Ｎｏ→Ｓ４０１）。尚、繰り返し回数は光メディアによって異なるが、本実施の形態では、例えば６４回である。
【００４９】
続いて、上記画像データ（Ｘ座標，Ｙ座標）＝（１，１）〜（５１２０，１）の出力が所定の回数繰り返された後、上記画像データの参照アドレスをＹ軸３０３方向に１移動し、（Ｘ座標，Ｙ座標）＝（１，２）〜（５１２０，２）に対応する各ドットの情報が上記画像書込手段１１１より上記レーザー駆動手段１０４に送信される（図４：Ｓ４０３→Ｓ４０４Ｎｏ→Ｓ４０１））。尚、Ｙ軸３０３方向に１移動した際に上記画像データがなくなれば、画像データ書込処理を終了し、即ち記録面に画像データを描画した光ディスクが出来上がる（（図４：Ｓ４０３→Ｓ４０４Ｙｅｓ→終了）。
【００５０】
以上のように、光ディスクの回転に同期した同期信号を出力し、当該同期信号と、例えばユーザが希望する画像データとに基づいてレーザー光を照射することで、上記画像データに対応する画像を上記光ディスクの記録面に、視覚的に認識可能に描画する事が可能になる。
【００５１】
また、同期信号出力手段が上記光ディスクの１回転あたりに出力する同期信号と、上記画像データとを対応させることで、記録面上に描画する画像の継ぎ目をなくす事が可能になる。これは、例えば所定の模様の繰り返し等、両端を継ぎ目なく結合可能な画像を画像データとした場合などに、当該画像を記録面に美しく描画する事ができる。
【００５２】
尚、上記実施の形態では、ＣＬＶ方式を利用した光ディスク書込装置について記載している。これに対して、例えばＣＡＶ方式を利用した光ディスク書込装置で上記画像データの記録面への描画を実現しようとした場合にも描画は可能であると考えられるが、以下の問題が生じる。
【００５３】
つまり、ＣＡＶ方式を採用した場合、記録場所（内周、外周）の違いによりレーザー光のオン・オフの間隔及びレーザー出力を変更する必要がある。この場合、例えばフォトインタラプタ等から得られる、回転に関する情報だけでは、レーザー光のオン・オフ及びレーザー出力を変更するのに十分ではない。このため、別途レーザーを制御するための複雑な回路を用意する必要が生じる。さらに、上記レーザーの出力の違いが描画に視覚的に現れるために、さらに複雑な制御が必要とされるのである。
【００５４】
また、ＣＡＶ方式を採用した場合、モーターの回転速度を一定に保つ制御の精度が、例えば５１２分の１の精度で制御できたとしても、本実施例の場合のように例えば１周５１２０ドットの画像の場合を考えると、１０ドット分の距離の継ぎ目ができてしまう。この速度制御の誤差を完全に０にするのは困難であるため、どうしても継ぎ目ができてしまい、特に繰り返し模様などの描画に適さないのである。
【００５５】
以上のような点より、画像の描画にはＣＬＶ方式を採用するのが好ましい。
【００５６】
尚、上記実施の形態では、光ディスクをＣＤ−Ｒと仮定した際の各値（画像データのドット数、１回転あたりのパルス数、同期信号出力手段のクロック数等）を示している。従って、例えばＤＶＤ−Ｒ等、他の光メディアを用いた場合は、上記各値を変更する必要が生じる場合もある。言い換えると、上記各値を変更するのみで他の光メディアにも容易に対応する事ができるのである。
【００５７】
また、上記上記光ディスク書込装置１０１に設けられる画像記憶手段１１２は、必ずしも必要ではなく、例えば画像書込手段１１１が必要になった際に随時Ｉ／Ｆ１０２を介してパーソナルコンピュータから取得してもよい。
【００５８】
また更に、上記画像書込手段１１１は、例えば画像データ以外のデータ、即ちパーソナルコンピュータから送信されるデータを遮断することで、レーザー１０５からのレーザー光の出力を停止してもよい。さらに、画像データの書込開始位置からのみ、当該画像データに対応するドットデータを出力する事で、例えば光メディアの外周に画像を描画した、書込（追記）可能なブランクディスクを作成する事も可能である。
【図面の簡単な説明】
【図１】本発明に係る光ディスク書込装置の概略機能ブロック図。
【図２】本発明に係る光ディスク書込装置が行う処理のフローチャート。
【図３】画像データの構成の一例。
【図４】画像データ書込処理のフローチャート。
【図５】画像データ書き込み後の光ディスクの記録面を表すイメージ図。
【図６】従来の光ディスク書込装置（ＣＬＶ方式）の概略機能ブロック図。
【図７】従来の光ディスク書込装置（ＣＡＶ方式）の概略機能ブロック図。
【図８】光ディスクの断面のイメージ図。
【符号の説明】
１０１　光ディスク書込装置
１０２　Ｉ／Ｆ（インターフェイス）
１０３　書込信号生成手段
１０４　レーザー駆動手段
１０５　レーザー
１０６　光ディスク
１０７　モーター
１０８　フォトインタラプタ
１０９　速度検出手段
１１０　同期信号出力手段
１１１　画像書込手段
１１２　画像記憶手段
【図１】
2004014082.tif 000003
【図２】
2004014082.tif 000004
【図３】
2004014082.tif 000005
【図４】
2004014082.tif 000006
【図５】
2004014082.tif 000007
【図６】
2004014082.tif 000008
【図７】
2004014082.tif 000009
【図８】
2004014082.tif 000010